(57)【要約】【課題】筆記具およびしおりとして用いることができ、しおりとして用いるときに、書物等に挟んで持ち運びしても書物等から脱落することのないしおり付き筆記具を提供することを目的とする。【解決手段】本考案のしおり付き筆記具１は、筆記部２およびしおり部３を備え、前記しおり部３を前記筆記部２に巻き付けて使用されるしおり付き筆記具１であって、前記しおり部３の端部が前記筆記部２に取り付けられ、前記しおり部３の一方の面および／または他方の面の少なくとも一部が粘着性を有することを特徴とする。【選択図】図１
0003188058.tif 000002
【実用新案登録請求の範囲】
【請求項１】
筆記部およびしおり部を備え、前記しおり部を前記筆記部に巻き付けて使用されるしおり付き筆記具であって、
前記しおり部の端部が前記筆記部に取り付けられ、
前記しおり部の一方の面および／または他方の面の少なくとも一部が粘着性を有するしおり付き筆記具。
【請求項２】
前記しおり部の一方の面および／または他方の面に、前記筆記部の軸に沿って略平行に延びる凹部および凸部が交互に設けられる請求項１記載のしおり付き筆記具。
【請求項３】
前記しおり部が、少なくとも厚さ方向で可撓性を有する請求項１または２記載のしおり付き筆記具。
【請求項４】
前記しおり部が透明である請求項１〜３のいずれか１項に記載のしおり付き筆記具。
【考案の詳細な説明】
【技術分野】
【０００１】
本考案は、しおり付き筆記具に関する。
【背景技術】
【０００２】
書籍、手帳、ノートなど（以下、「書物等」という）を携帯していて、書物等にメモをする必要が生じたとき、手近に筆記具がなく不便を感じることが多い。このような場合、書物等に挟んで使用するしおりに筆記具が付属していると、書物等とは別に筆記具を携帯する必要がなく、非常に便利である。
【０００３】
筆記具が付属したしおりとして、特許文献１（実開昭６０−０６７９７４号公報）には、しおりボールペン１００が開示されている。特許文献１に開示されたしおりボールペン１００は、図４（ａ）に示されるように、ボールペンの軸１０１に、皮や厚手のビニール等１０２が取り付けられて構成されている。しおりボールペン１００を筆記具として使用するときは、図４（ｂ）に示されるように、皮や厚手のビニール等１０２をボールペンの軸１０１に巻いて普通のボールペンの太さにして使用し、しおりボールペン１００をしおりとして使用するときは、図４（ａ）に示されるように、皮や厚手のビニール等１０２をボールペンの軸１０１から広げて書物等に挟んで使用する。
【先行技術文献】
【特許文献】
【０００４】
【特許文献１】実開昭６０−０６７９７４号公報
【考案の概要】
【考案が解決しようとする課題】
【０００５】
しかし、特許文献１のしおりボールペン１００では、しおりとして使用するとき、皮や厚手のビニール等１０２が書物等の紙に対して滑りやすいために、しおりボールペン１００を挟んで書物等を持ち運びするときにしおりボールペン１００が書物等から脱落してしまう。
【０００６】
本考案は、このような問題を解決するためになされたもので、筆記具およびしおりとして用いることができ、しおりとして用いるときに、書物等に挟んで持ち運びしても書物等から脱落することのないしおり付き筆記具を提供することを目的とする。
【課題を解決するための手段】
【０００７】
本考案のしおり付き筆記具は、筆記部およびしおり部を備え、前記しおり部を前記筆記部に巻き付けて使用されるしおり付き筆記具であって、前記しおり部の端部が前記筆記部に取り付けられ、前記しおり部の一方の面および／または他方の面の少なくとも一部が粘着性を有することを特徴とする。
【０００８】
また、前記しおり部の一方の面および／または他方の面に、前記筆記部の軸に沿って略平行に延びる凹部および凸部が交互に設けられることが好ましい。
【０００９】
また、前記しおり部が、少なくとも厚さ方向で可撓性を有することが好ましい。
【００１０】
また、前記しおり部が透明であることが好ましい。
【考案の効果】
【００１１】
本考案のしおり付き筆記具によれば、筆記具およびしおりとして用いることができ、しおりとして用いるときに、しおり部の一方の面および／または他方の面の少なくとも一部が粘着性を有するので、書物等に挟んで持ち運びしても書物等から脱落することのないしおり付き筆記具を提供することができる。
【図面の簡単な説明】
【００１２】
【図１】本考案のしおり付き筆記具のしおり部を広げた状態の斜視図である。
【図２】本考案のしおり付き筆記具のしおり部を筆記部に巻き付けた状態の斜視図である。
【図３】本考案のしおり付き筆記具の他の実施形態のしおり部を広げた状態の斜視図である。
【図４】（ａ）は、従来のしおりボールペンの皮や厚手のビニール等を広げた状態の斜視図であり、（ｂ）は、皮や厚手のビニール等をボールペンの軸に巻き付けた状態の斜視図である。
【考案を実施するための形態】
【００１３】
以下、添付図面を参照して、本考案のしおり付き筆記具を詳細に説明する。
【００１４】
本考案のしおり付き筆記具１は、図１に示されるように、筆記部２およびしおり部３を備えており、図２に示されるように、しおり部３を筆記部２に巻き付けて筆記具として使用される。また、しおり付き筆記具１は、図１に示されるように、しおり部３を広げた状態で手帳、メモ帳、ノート、書籍などの書物等に挟んでしおりとして使用される。
【００１５】
筆記部２は、図１に示されるように、略円柱形状を有する筆記部本体２１および先の尖った形状を有する筆記部先端２２を備えている。筆記部本体２１は、本実施形態においては略円柱形状を有しているがこれに限定されることはなく、しおり部３を巻き付けて筆記具として用いることができれば、三角柱形状、四角柱形状、六角柱形状など、細長形状であればいかなる形状であってもよい。また、筆記部先端２２は、図１に示された実施形態では筆記部２にボールペンの軸を用いているので先の尖った形状を有しているが、筆記部２としては、手帳、メモ帳、ノート、書籍などの書物等に、文字、表、図などを書くことができれば、鉛筆、万年筆、蛍光ペンなどいかなる筆記具であっても良いので、筆記部先端２２の形状も先の尖った形状に限定されることはなく、円柱形状や四角形状などいかなる形状であってもよい。また、図３に示されるように、筆記部本体２１の軸方向両端に筆記部先端２２を有していてもよく、たとえば両者で吐出するインクなどの色を変えることも可能である。筆記部先端２２は、インクなどが吐出する部分であるので、筆記具として使用していない時にインクなどが吐出して書物等を汚さないように、筆記部先端２２に任意でキャップを取り付けてもよい。特に、筆記部本体２１の軸方向両端に筆記部先端２２を有している場合は、使用していない筆記部先端２２にキャップを取り付けることが望ましい。
【００１６】
図１に示されるように、しおり部３は薄肉で略矩形状を呈しており、略矩形状のしおり部３の１辺であるしおり部３の端部が、筆記部本体２１が嵌入され固定された略円筒形状の取付部４を介して、筆記部２の筆記部本体２１に取り付けられている。ここで、しおり部３と筆記部２とは、後述するように、しおり部３を筆記部２に巻き付けて筆記具として使用でき、またしおり部３を広げてしおりとして使用できるように、しおり部３の端部が筆記部２に取り付けられていれば、その取付形態や取付方法は限定されない。したがって、しおり部３と取付部４とを一体成型してしおり部３の端部を筆記部２に取り付けてもよく、またはしおり部３と取付部４とを個別に成形した後に取り付けてもよい。また、取付部４を介さずに、しおり部３の端部を筆記部本体２１に直接取り付けることもできる。また、取り付け方法は、接着剤、熱圧着、レーザー溶着など既知の方法を用いることができる。
【００１７】
しおり部３は、図１に示された実施形態では略矩形状を呈しているが、その端部が筆記部２に取り付けることが可能で、筆記部２に巻き付けてしおり付き筆記具１を筆記具として使用でき、また広げてしおり付き筆記具１をしおりとして使用することができれば略矩形状に限定されることはなく、円形状、楕円形状、多角形状などいかなる形状であってもよい。特に、デザイン的な観点から、花や動物などの形を有しているものを用いることもできる。しおり部３の厚さも特に限定されないが、筆記部２にしおり部３を巻き付けたときに指で握りやすい程度の太さになるような厚さであることが好ましい。
【００１８】
本実施形態においては、しおり部３の素材に粘着性を有する合成樹脂が用いられている。しおり部３が粘着性を有するので、しおり部３を広げてしおり付き筆記具１を書物等に挟んで持ち運んでも、しおり部３の表面が書物等の紙の表面に対して滑りにくく、しおり付き筆記具１が書物等から脱落することがない。また、しおり部３を筆記部２に巻き付けてしおり付き筆記具１を筆記具として用いる場合、しおり部３の表面が互いに粘着するので、しおり付き筆記具１を握りしめている指の力を緩めても、しおり部３が自然と広がることがない。ここで、しおり部３の粘着性とは、しおり部３が書物等に挟まれたときに、しおり部３が書物等を構成する紙に対して滑らずに、かつ、しおり部３を書物等を構成する紙から容易に取り外すことができるものをいう。本実施形態ではしおり部３の素材にウレタン樹脂を用いているが、しおり部３は、書物等に挟んだときにしおり付き筆記具１が脱落しないような粘着性を有していればよいので、ウレタン樹脂に限定されることはなく、アクリル樹脂、架橋型アクリル樹脂、アクリル系単量体、シリコーン樹脂、フッ素樹脂およびポリビニルアルコール樹脂などいかなる粘着性を有する素材であってもよい。さらに、粘着性を有する素材に限定されることはなく、それ自体は粘着性を有さない素材であっても、その表面に化学的処理、機械的処理、物理的処理などによりローレットや格子などの模様や多数の小突起を形成したもの、表面を布で被覆したもの、表面を例えば熱可塑性エラストマー、シリコーン樹脂のようにそれ自体滑り止め性を有するもので処理したものなど、しおり部３の表面が、書物等に挟んだときにしおり付き筆記具１が脱落しない程度の粘着性を有していれば、いかなる素材であってもよい。また、書物等に挟んだときにしおり付き筆記具１が脱落しない程度において、しおり部３の一方の面（図１中の紙面表側の面）および／または他方の面（図１の紙面裏側の面）の少なくとも一部が粘着性を有していればよく、しおり部３の全体が粘着性を有している必要はない。
【００１９】
図１に示されるように、しおり部３の一方の面および／または他方の面に、筆記部２の軸に沿って略平行に延びる凹部３１および凸部３２が交互に設けられている。しおり部３は、筆記部２の軸に沿って略平行に延びる凹部３１および凸部３２が交互に設けられることにより、厚さが薄い凹部３１が優先的に折れ曲がるので、しおり部３は、凹部３１および凸部３２の延びる方向に対して垂直な方向に巻きやすい。逆に、しおり部３に凹部３１と凸部３２とが交互に設けられていることにより、しおり部３をしおりとして使用する場合には、しおり部３が筆記部２に巻き付けられた状態から平坦な状態に戻りやすい。また、しおり部３を筆記部２に巻き始める際に筆記部本体２１が少なくとも部分的に凹部３２に嵌入するので、さらにしおり部３を筆記部２の軸に沿った方向に対して垂直な方向に巻きやすくなる。図４（ａ）に示される従来の表面に凹凸のないしおりの場合は、しおりをいずれの方向にも巻くことができるが、しおりの表面に凹凸がないため、図４（ｂ）に示される形のように常にきれいに巻けるとは限らないのに対して、本実施形態のしおり部３は、図２に示されるように、再現性良く筆記部２にきれいに巻き付けることができる。さらに、従来の表面に凹凸のないしおりの場合、繰り返し筆記部に巻き付けることにより、しおりに巻き癖が付いてしまうが、本実施形態のように凹部３１と凸部３２とが交互に設けられていることにより、繰り返し使用しても、しおりとして用いる場合には、しおり部３が平坦な状態に戻りやすく、容易に書物等に挟み込むことができる。このように、本実施形態では、しおり部３が粘着性を有し、凹部３１と凸部３２とが交互に設けられていることにより、筆記具として使用する場合には巻き付けやすく、巻きついた後には、しおり部３の巻きがほどけにくく、かつ、しおりとして使用する場合には、平坦な状態となりやすいため、書物等に挟み込みやすい。
【００２０】
ここで、図１に示された本実施形態では、凹部３１および凸部３２は、筆記部２の軸に沿った方向に対して垂直な方向にその厚さが互いに連続的に変化しているが、しおり部３を筆記部２の軸に沿った方向に対して垂直な方向に優先的に巻くことができればこの形状に限定されることはなく、その厚さの変化が非連続であってもよい。また、図１に示された本実施形態では、凹部３１および凸部３２は、しおり部３の上端から下端まで連続して延在しているが、凹部３１および凸部３２は、上端から下端まで連続して延在する必要はなく、上下方向で連続していない複数の凹部３１および凸部３２が、筆記部２の軸に沿って略平行に配列されていてもよい。このような場合であっても、しおり部３自体は、筆記部２の軸に沿った方向および筆記部３の軸に沿った方向に垂直な方向のいずれにも巻くことが可能ではあるが、上述のように、しおり部３の端部が筆記部２に取り付けられているので、しおり部３は、筆記部２の軸に沿った方向に巻くことができず、筆記部３の軸に沿った方向に垂直な方向に優先的に巻くことができる。
【００２１】
本実施形態においては、しおり部３の素材として用いたウレタン樹脂には、粘着性だけでなく、可撓性も持たせている。しおり部３が可撓性を有するので、しおり部３を筆記部２に巻き付けてしおり付き筆記具１を筆記具として用いる場合、使用者は、長時間使用しても指が疲れにくい。また、しおり部３を広げてしおり付き筆記具１をしおりとして用いる場合、書物等を傷めにくい。このような効果を得る目的のためには、しおり部３が、少なくとも厚さ方向で可撓性を有していればよい。
【００２２】
また、本考案のしおり付き筆記具１においては、しおり部３が透明であることが好ましい。しおり部３が透明であるので、しおり付き筆記具１が製造された後からでも、しおり部３の表面に文字を書いたり、絵を描いたりすることができる。
【符号の説明】
【００２３】
１  しおり付き筆記具
２  筆記部
２１  筆記部本体
２２  筆記部先端
３  しおり部
３１  凹部
３２  凸部
４  取付部
【図１】
0003188058.tif 000003
【図２】
0003188058.tif 000004
【図３】
0003188058.tif 000005
【図４】
0003188058.tif 000006